(57)【要約】【課題】操作部の意図しない操作を確実に阻止することができる収納庫を提供すること。【解決手段】収納庫本体としての温冷蔵庫本体２と、扉体３と、操作部１５とを有し、前記扉体３を閉じた際にこの扉体３の後端面２７Ａと対向する前記温冷蔵庫本体２の対向面１０Ａに前記操作部１５を設け、前記扉体３を開いて前記温冷蔵庫本体２の対向面１０Ａに設けられた前記操作部１５を露出させることで、この操作部１５を操作することができると共に、前記扉体３を閉じることで、この扉体３によって前記操作部１５が覆われるので、前記操作部１５が意図せず操作されることを確実に阻止することができる。【選択図】図４
2009270749.tif 000002
【特許請求の範囲】
【請求項１】
収納庫本体と、扉体と、操作部とを有する収納庫において、
前記扉体を閉じた際にこの扉体の後端面と対向する前記収納庫本体の対向面に前記操作部が設けられることを特徴とする収納庫。
【請求項２】
前記扉体の後端面に、前記収納庫本体の対向面に当接するパッキンを設けると共に、前記対向面における前記パッキンによって囲まれる領域の外側に、前記操作部が設けられることを特徴とする請求項１記載の収納庫。
【請求項３】
前記収納庫本体の対向面に凹部を形成し、この凹部に前記操作部を設けると共に、この操作部全体が前記対向面の凹部以外の部分よりも奥に位置することを特徴とする請求項１乃至２記載の収納庫。
【請求項４】
前記操作部が表示用の発光部を有すると共に、前記扉体に、前記発光部が発した光を前記扉体の後端面側から前面側に導く導光体を設けたことを特徴とする請求項１乃至３記載の収納庫。
【請求項５】
収納庫本体と、扉体と、操作部とを有する収納庫において、
前記扉体を閉じた際に前記収納庫本体の対向面と対向する前記扉体の後端面に前記操作部が設けられることを特徴とする収納庫。
【請求項６】
前記扉体の後端面に、前記収納庫本体の対向面に当接するパッキンを設けると共に、前記扉体における前記パッキンによって囲まれる領域の外側に、前記操作部が設けられることを特徴とする請求項５記載の収納庫。
【請求項７】
前記扉体の後端面に凹部を形成し、この凹部に前記操作部を設けると共に、この操作部全体が前記後端面の凹部以外の部分よりも奥に位置することを特徴とする請求項５乃至６記載の収納庫。
【発明の詳細な説明】
【技術分野】
【０００１】
本発明は、冷蔵庫等の収納庫に関するものであり、特に、その操作部のレイアウトに関するものである。
【背景技術】
【０００２】
従来、この種の収納庫としては、箱体（本発明の収納庫本体に相当する）の上面と側面の間に切欠部を形成し、この切欠部に操作部を設けると共に、切欠部の上側方に把持部を設けた貯蔵庫が知られている（例えば、特許文献１参照。）。そして、操作部をこのような位置に設けることで、設置時及び携帯時等に他の物体が操作部に当接することが把持部によって妨げられるため、操作部が意図せずに操作される虞を低減することができる。
【特許文献１】特開２００５−１２７５５０号公報
【発明の開示】
【発明が解決しようとする課題】
【０００３】
しかしながら、このような貯蔵庫においては、操作部が露出しているため、操作部が意図せずに操作される虞を低減することができるとは言うものの、意図しない操作を確実に阻止することができるとまでは言えなかった。
【０００４】
本発明は以上の問題点を解決し、操作部の意図しない操作を確実に阻止することができる収納庫を提供することを目的とする。
【課題を解決するための手段】
【０００５】
本発明の請求項１に記載の収納庫は、収納庫本体と、扉体と、操作部とを有する収納庫において、前記扉体を閉じた際にこの扉体の後端面と対向する前記収納庫本体の対向面に前記操作部が設けられるものである。
【０００６】
また、本発明の請求項２に記載の収納庫は、請求項１において、前記扉体の後端面に、前記収納庫本体の対向面に当接するパッキンを設けると共に、前記対向面における前記パッキンによって囲まれる領域の外側に、前記操作部が設けられるものである。
【０００７】
また、本発明の請求項３に記載の収納庫は、請求項１乃至２において、前記収納庫本体の対向面に凹部を形成し、この凹部に前記操作部を設けると共に、この操作部全体が前記対向面の凹部以外の部分よりも奥に位置するものである。
【０００８】
また、本発明の請求項４に記載の収納庫は、請求項１乃至３において、前記操作部が表示用の発光部を有すると共に、前記扉体に、前記発光部が発した光を前記扉体の後端面側から前面側に導く導光体を設けたものである。
【０００９】
また、本発明の請求項５に記載の収納庫は、収納庫本体と、扉体と、操作部とを有する収納庫において、前記扉体を閉じた際に前記収納庫本体の対向面と対向する前記扉体の後端面に前記操作部が設けられるものである。
【００１０】
また、本発明の請求項６に記載の収納庫は、請求項５において、前記扉体の後端面に、前記収納庫本体の対向面に当接するパッキンを設けると共に、前記扉体における前記パッキンによって囲まれる領域の外側に、前記操作部が設けられるものである。
【００１１】
更に、本発明の請求項７に記載の収納庫は、請求項５乃至６において、前記扉体の後端面に凹部を形成し、この凹部に前記操作部を設けると共に、この操作部全体が前記後端面の凹部以外の部分よりも奥に位置するものである。
【発明の効果】
【００１２】
本発明の請求項１に記載の収納庫は、以上のように構成することにより、前記扉体を開いて前記収納庫本体の対向面に設けられた前記操作部を露出させることで、この操作部を操作することができると共に、前記扉体を閉じることで、この扉体によって前記操作部が覆われるので、前記操作部が意図せず操作されることを確実に阻止することができる。
【００１３】
また、前記扉体の後端面にパッキンを設けると共に、前記収納庫本体の対向面に当接する前記パッキンによって囲まれる領域の外側に、前記前記操作部を設けたことで、前記パッキンによって密閉される空間内が外気温とは異なる温度にされる場合でも、前記操作部が、熱、或いは結露水等の影響を受けないようにすることができる。
【００１４】
また、前記収納庫本体の対向面に凹部を形成し、この凹部に前記操作部を設けると共に、この操作部全体が前記対向面の凹部以外の部分よりも奥に位置することで、前記扉体が衝撃を受けて前記対向面側に押されたとしても、前記扉体の後端面が前記操作部に接触することがないので、前記操作部が意図せず操作されることをより確実に阻止することができる。
【００１５】
また、前記操作部に表示用の発光部を設けると共に、前記扉体に、前記発光部からの光を前記扉体の後端面側から前面側に導く導光体を設けたことで、前記扉体を開くことなく、前記収納庫の動作状態を知ることができる。
【００１６】
また、本発明の請求項５に記載の収納庫は、以上のように構成することにより、前記扉体を開いてこの扉体の後端面に設けられた前記操作部を露出させることで、この操作部を操作することができると共に、前記扉体を閉じることで、前記収納庫本体によって前記操作部が覆われるので、前記操作部が意図せず操作されることを確実に阻止することができる。
【００１７】
また、前記扉体の後端面にパッキンを設けると共に、このパッキンによって囲まれる領域の外側に、前記前記操作部を設けたことで、前記パッキンによって密閉される空間内が外気温とは異なる温度にされる場合でも、前記操作部が、熱、或いは結露水等の影響を受けないようにすることができる。
【００１８】
更に、前記扉体の後端面に凹部を形成し、この凹部に前記操作部を設けると共に、この操作部全体が前記後端面の凹部以外の部分よりも奥に位置することで、前記扉体が衝撃を受けて前記対向面側に押されたとしても、前記収納庫本体の対向面が前記操作部に接触することがないので、前記操作部が意図せず操作されることをより確実に阻止することができる。
できる。
【発明を実施するための最良の形態】
【００１９】
以下、本発明の第一の実施形態について、図１乃至図６に基づいて説明する。１は収納庫としての温冷蔵庫である。この温冷蔵庫１は、収納庫本体としての温冷蔵庫本体２と、扉体３と、棚板４とを有して構成されている。
【００２０】
前記温冷蔵庫本体２は、外殻体５と、内容器６と、側部パネル７と、把持部８とを有して構成されていると共に、前記外殻体５と内容器６との間には、図示しない断熱材が充填されている。そして、前記外殻体５は、前記扉体３と対向する対向面１０Ａを有する前外殻体１０を有している。この前外殻体１０には開口部１１が形成されており、この開口部１１に前記内容器６が取り付けられている。また、前記前外殻体１０の右上部、右下部、左上部、左下部の４ヶ所に、夫々軸腕部１２が設けられていると共に、これらの軸腕部１２には、夫々回動軸１３が設けられている。なお、右上部の回動軸１３Ａと右下部の回動軸１３Ｂは、夫々同軸となるように設けられている。また、図示しない左上部の回動軸と左下部の回動軸も、夫々同軸となるように設けられている。また、前記前外殻体１０の開口部１１には、溝部１４が形成されていると共に、この溝部１４と対応して、前記内容器６にも溝部（図示せず）が形成されている。そして、前記溝部１４及び前記内容器６の図示しない溝部に、前記棚板４が取り付けられる。更に、前記前外殻体１０の対向面１０Ａで且つ後述するパッキン２８によって囲まれる領域Ｘの外側には、凹部１０Ｂが形成されていると共に、この凹部１０Ｂに操作部１５が設けられている。この操作部１５には、押圧部１６及び発光部１７が設けられていると共に、前記操作部１５は、その全体が前記対向面１０Ａの凹部１０Ｂ以外の部分１０Ｃよりも奥に位置している。なお、前記発光部１７には、発光ダイオードが用いられる。また、前記操作部１５の内側には回路基板１８が設けられており、この回路基板１８に、前記押圧部１６の操作によって押されるスイッチ１９及び前記発光部１５を構成する発光ダイオードが実装されている。そして、前記操作部１５は、前記扉体３を閉じた際に、この扉体３によって覆われる。また、前記外殻体５の下方には、受水体２０が設けられていると共に、前記把持部８とほぼ同じ形状の脚部２１が設けられている。また、前記側部パネル７の外面には、側脚部２３が設けられている。更に、前記外殻体５の背面には、後脚部２４が設けられていると共に、電源コード２５が引き出されている。
【００２１】
前記扉体３は、不透明な材質によって構成された前外殻体２６と、同じく不透明な材質から構成された後外殻体２７と、これらの間に設けられた図示しない断熱材と、弾性体によって形成されたパッキン２８と、左右一対の操作レバー２９とを有して構成されている。前記後外殻体２７には、図示しない凹部を有するリブ３０が形成されていると共に、前記操作レバー２９の上下両端には、図示しない爪部を有するフック３１が設けられており、前記リブ３０の凹部と前記フック３１の爪部とで、前記回動軸１３が回動自在に係合されている。そして、一方の前記操作レバー２９を操作して前記リブ３０の凹部及び前記フック３１の爪部と前記回動軸１３との係合を解くことで、前記扉体３は、他方の操作レバー２９側の回動軸１３を中心に回動するように構成されている。（なお、このような構造は実公平６−１１３４５号公報等で公知である。）そして、前記扉体３の前外殻体２６と後外殻体２７との間には、透明な材質によって構成された導光体３２が設けられている。この導光体３２は、前記発光部１７と同数設けられていると共に、その後端部３２Ａが前記発光部１７と対向して、前記発光部１７が発した光を前記扉体３の正面側に露出した前端部３２Ｂまで導くように構成されている。また、前記導光体３２の周囲は、前記前外殻体２６から後方に延びた管状部２６Ａによって囲まれている。なお、前記扉体３の後外殻体２７の後端面２７Ａと前記対向面１０Ａとの間には、前記パッキン２８によって間隙が形成されている。
【００２２】
次に、本実施形態の作用について説明する。まず、使用者は、前記電源コード２５の先端に設けられた図示しない差込プラグを、同じく図示しない交流電源の差込口等に差し込む。そして、使用者は、左又は右の前記操作レバー２９を操作して、左又は右の前記リブ３０の凹部及び前記フック３１の爪部と前記回動軸１３との係合を解くことで、右又は左の前記回動軸１３を中心に前記扉体３を開く。このように、前記扉体３を開くことで、この扉体３によって覆われていた前記操作部１５が露出される。そして、露出された前記操作部１５の押圧部１６を操作することで、前記温冷蔵庫１の電源のオン・オフ及び温度設定の切換が行われる。また、前記温冷蔵庫１の電源がオンになることで、前記発光部１７が点灯すると共に、温度設定が切り換えられることにより、前記発光部１７の発光形態が変化する。そして、使用者が前記扉体３を再び閉じることで、この扉体３によって前記操作部１５が再び覆われる。このように、前記操作部１５が前記扉体３によって覆われることで、前記温冷蔵庫１の周囲に存在する他の物体、或いは使用者又は他の人物の身体の一部が前記操作部１５に不用意に接触することが、前記扉体３によって妨げられるので、前記操作部１５の意図しない操作が確実に阻止される。
【００２３】
また、前述したように、前記前外殻体１０の対向面１０Ａで且つこの対向面１０Ａに当接する前記パッキン２８によって囲まれる領域Ｘの外側に形成された前記凹部１０Ｂに、前記操作部１５が設けられていることで、前記パッキン２８によって密閉される空間内が加温又は冷却される場合でも、前記操作部１５が、熱、或いは結露水等の影響を受けないようにすることができる。また、前述したように、前記対向面１０Ａに形成された前記凹部１０Ｂに、前記操作部１５を設けると共に、この操作部１５全体が前記対向面１０Ａの凹部１０Ｂ以外の部分１０Ｃよりも奥に位置することで、前記扉体３が衝撃を受けて前記凹部１０Ｂ以外の部分１０Ｃに衝突したとしても、前記扉体３の後端面２７Ａが前記操作部１５に接触することがないので、前記操作部１５が意図せず操作されることをより確実に阻止することができる。
【００２４】
更に、前記扉体３に、前記発光部１７が発した光を前記扉体３の後端面２７Ａ側から前面側に導く導光体３２が設けられているので、前記扉体３を開くことなく、前記温冷蔵庫１の動作状態を知ることができる。
【００２５】
次に、本発明の第二の実施形態について、図７乃至図９に基づいて説明する。４１は収納庫としての温冷蔵庫である。この温冷蔵庫４１は、収納庫本体としての温冷蔵庫本体４２と、扉体４３と、棚板４とを有して構成されている。
【００２６】
前記温冷蔵庫本体４２は、外殻体４５と、内容器６と、側部パネル７と、把持部８とを有して構成されていると共に、前記外殻体４５と内容器６との間には、図示しない断熱材が充填されている。そして、前記外殻体４５は、前記扉体４３と対向する対向面５０Ａを有する前外殻体５０を有している。この前外殻体５０には開口部５１が形成されており、この開口部５１に前記内容器６が取り付けられている。また、前記前外殻体５０の右上部及び右下部の２ヶ所に、夫々腕部５２が設けられていると共に、これらの腕部５２には、夫々係止ピン５３が設けられている。一方、前記前外殻体５０の左上部及び左下部の２ヶ所に、夫々図示しない腕部が設けられていると共に、これらの腕部に対して前記扉体４３が枢支されている。また、前記前外殻体５０の開口部５１には、溝部５４が形成されていると共に、この溝部５４と対応して、前記内容器６にも溝部（図示せず）が形成されている。そして、前記溝部５４及び前記内容器６の図示しない溝部に、前記棚板４が取り付けられる。また、前記外殻体４５の下方には、受水体２０が設けられていると共に、前記把持部８とほぼ同じ形状の脚部２１が設けられている。また、前記側部パネル７の外面には、側脚部２３が設けられている。
【００２７】
前記扉体３は、不透明な材質によって構成された前外殻体６６と、同じく不透明な材質から構成された後外殻体６７と、これらの間に設けられた図示しない断熱材と、弾性体によって形成されたパッキン２８と、操作レバー６９とを有して構成されている。そして、前記操作レバー６９の上下両端には、図示しない爪部を有するフック７１が設けられており、このフック７１の爪部が、前記係止ピン５３と係合可能に構成されており、前記操作レバー６９を操作して前記フック７１の爪部と前記係止ピン５３との係合を解くことで、前記扉体４３を開くことが可能となっている。更に、前記扉体４３の後端面６７Ａで且つ前記パッキン２８によって囲まれる領域Ｙの外側には、凹部６７Ｂが形成されていると共に、この凹部６７Ｂに操作部５５が設けられている。この操作部５５には、押圧部５６が設けられていると共に、前記操作部５５は、その全体が前記後端面６７Ａの凹部６７Ｂ以外の部分６７Ｃよりも奥に位置している。また、前記操作部５５の内側には第一の回路基板５８が設けられており、この第一の回路基板５８に、前記押圧部５６の操作によって押されるスイッチ５９等が実装されている。一方、前記扉体４３の前外殻体６６には、複数の貫通孔６６Ａが形成されており、この貫通孔６６Ａから発光部５７が露出している。なお、この発光部５７には、発光ダイオードが用いられると共に、この発光ダイオードは、第二の回路基板７３に実装されている。そして、前記操作部５５は、前記扉体４３を閉じた際に、前記温冷蔵庫本体４２によって覆われる。なお、前記扉体４３の後外殻体６７の後端面６７Ａと前記対向面５０Ａとの間には、前記パッキン２８によって間隙が形成されている。
【００２８】
次に、本実施形態の作用について説明する。まず、使用者は、図示しない差込プラグを、同じく図示しない交流電源の差込口等に差し込む。そして、使用者は、前記操作レバー６９を操作して、前記フック７１の爪部と前記係止ピン５３との係合を解くことで、前記扉体４３を開く。このように、前記扉体４３を開くことで、前記温冷蔵庫本体４２によって覆われていた前記操作部５５が露出される。そして、露出された前記操作部５５の押圧部５６を操作することで、前記温冷蔵庫４１の電源のオン・オフ及び温度設定の切換が行われる。また、前記温冷蔵庫４１の電源がオンになることで、前記発光部５７が点灯すると共に、温度設定が切り換えられることにより、前記発光部５７の発光形態が変化する。そして、使用者が前記扉体４３を再び閉じることで、前記温冷蔵庫本体４２によって前記操作部５５が再び覆われる。このように、前記操作部５５が前記温冷蔵庫本体４２によって覆われることで、前記温冷蔵庫４１の周囲に存在する他の物体、或いは使用者又は他の人物の身体の一部が前記操作部５５に不用意に接触することが、前記温冷蔵庫本体４２によって妨げられるので、前記操作部５５の意図しない操作が確実に阻止される。
【００２９】
また、前述したように、前記扉体４３の後端面６７Ａで且つ前記パッキン２８によって囲まれる領域Ｙの外側に形成された前記凹部６７Ｂに、前記操作部５５が設けられていることで、前記パッキン２８によって密閉される空間内が加温又は冷却される場合でも、前記操作部５５が、熱、或いは結露水等の影響を受けないようにすることができる。また、前述したように、前記対向面５０Ａに形成された前記凹部５０Ｂに、前記操作部５５を設けると共に、この操作部５５全体が前記後端面６７Ａの凹部６７Ｂ以外の部分６７Ｃよりも奥に位置することで、前記扉体４３が衝撃を受けて前記凹部６７Ｂ以外の部分６７Ｃが前記対向面５０Ａに衝突したとしても、前記温冷蔵庫本体４２の対向面５０Ａが前記操作部５５に接触することがないので、前記操作部５５が意図せず操作されることをより確実に阻止することができる。
【００３０】
なお、本発明は以上の実施形態に限定されるものではなく、発明の要旨の範囲内で種々の変形実施が可能である。例えば、第一の実施形態では、操作部の押圧部と発光部を共に扉体によって覆うように構成したが、要は、不用意な操作が行われないようになっていれば良いので、押圧部のみを扉体によって覆い、発光部を常に露出させるように構成しても良い。
【図面の簡単な説明】
【００３１】
【図１】本発明の第一の実施形態を示す温冷蔵庫の正面図である。
【図２】同、右側面図である。
【図３】同、平面図である。
【図４】同、扉体を開いた状態の正面図である。
【図５】同、扉体を開いた状態の平面図である。
【図６】同、閉扉時における要部の拡大断面図である。
【図７】本発明の第二の実施形態を示す温冷蔵庫の扉を開いた状態の正面図である。
【図８】同、扉体の背面図である。
【図９】同、閉扉時における要部の拡大断面図である。
【符号の説明】
【００３２】
１，４１  温冷蔵庫（収納庫）
２，４２  温冷蔵庫本体（収納庫本体）
３，４３  扉体
１０Ａ、５０Ａ  対向面
１０Ｂ  凹部
１０Ｃ  凹部以外の部分
１５，５５  操作部
１７，５７  発光部
２７Ａ，６７Ａ  後端面
２８  パッキン
３２  導光体
６７Ｂ  凹部
６７Ｃ  凹部以外の部分
Ｘ，Ｙ  パッキンによって囲まれる領域
【図１】
2009270749.tif 000003
【図２】
2009270749.tif 000004
【図３】
2009270749.tif 000005
【図４】
2009270749.tif 000006
【図５】
2009270749.tif 000007
【図６】
2009270749.tif 000008
【図７】
2009270749.tif 000009
【図８】
2009270749.tif 000010
【図９】
2009270749.tif 000011